【事件の表示】
　特願２０１５−１５６６５０号「遊技機」拒絶査定不服審判事件〔平成２８年　１月１４日出願公開、特開２０１６−　　５５７１号〕について、次のとおり審決する。
【結　論】
　本件審判の請求は、成り立たない。
【理　由】
第１　手続の経緯
　本願は、平成２１年７月２２日に出願された特願２００９−１７１４４２号の一部を平成２６年３月２６日に新たに特許出願したものである特願２０１４−６２９０９号の一部を平成２７年８月７日に新たに特許出願したものであって、同年１０月７日付けで拒絶理由通知がなされ、同年１２月１１日付けで意見書が提出されたが、平成２８年２月３日付けで拒絶査定がなされ、これに対し、同年５月９日付けで拒絶査定不服審判の請求がされるとともに、手続補正書が提出され、同年６月６日に前置報告書が作成され、同年６月２０日付けで上申書が提出された。
第２　平成２８年５月９日付けの手続補正についての補正却下の決定
［補正却下の決定の結論］
　平成２８年５月９日付けの手続補正を却下する。
［理由］
１　補正の概要
　平成２８年５月９日付けの手続補正（以下、「本件補正」という。）は、特許請求の範囲の請求項１〜３の記載の補正を含む補正であり、特許請求の範囲の請求項１〜３は、
　補正前（願書に最初に添付した特許請求の範囲）の
「【請求項１】
　外部機器からの配線が差し込まれる差込み部を備えた本体部と、
　前記差込み部に対応させて設けられ、所定の電気信号を前記外部機器からの配線に伝える端子部と、
　前記本体部に対して変位可能であり、前記差込み部に差し込まれた配線を前記端子部に接触させた状態で保持可能な保持状態と、前記差込み部に対する配線の抜き差しを許容する非保持状態とに状態変化可能な保持手段と、
　前記保持状態にある前記保持手段を前記非保持状態へと状態変化させることのできる操作手段とを具備し、
　前記端子部、前記保持手段、及び前記操作手段が複数設けられた外部出力手段を備える遊技機において、
　前記外部出力手段は、複数の前記操作手段が遊技機の左右方向に並ぶようにして設けられ、
　前記操作手段は、前記保持状態にある前記保持手段を前記非保持状態へと状態変化させる際に操作される操作部を備え、
　遊技機の左右方向に並ぶようにして設けられた前記操作手段のうち第１操作手段の操作部と第２操作手段の操作部とは、遊技機の左右方向に対して交差する方向において位置がずれるように構成され、
　操作されていない場合の前記第２操作手段の操作部は、操作されていない場合の前記第１操作手段の操作部より遊技機後方に位置し、
　前記第１操作手段と前記第２操作手段とは、その操作部において指を引っ掛け可能な指掛け部を備えていることを特徴とする遊技機。
【請求項２】
　外部機器からの配線が差し込まれる差込み部を備えた本体部と、
　前記差込み部に対応させて設けられ、所定の電気信号を前記外部機器からの配線に伝える端子部と、
　前記本体部に対して変位可能であり、前記差込み部に差し込まれた配線を前記端子部に接触させた状態で保持可能な保持状態と、前記差込み部に対する配線の抜き差しを許容する非保持状態とに状態変化可能な保持手段と、
　前記保持状態にある前記保持手段を前記非保持状態へと状態変化させることのできる操作手段とを具備し、
　前記端子部、前記保持手段、及び前記操作手段が複数設けられた外部出力手段を備える遊技機において、
　前記外部出力手段は、複数の前記操作手段が遊技機の左右方向に並ぶようにして設けられ、
　前記操作手段は、前記保持状態にある前記保持手段を前記非保持状態へと状態変化させる際に操作される操作部を備え、
　遊技機の左右方向に並ぶようにして設けられた前記操作手段のうち第１操作手段の操作部と第２操作手段の操作部とは、前記第１操作手段及び前記第２操作手段の操作方向において位置がずれるように構成され、
　操作されていない場合の前記第２操作手段の操作部は、操作されていない場合の前記第１操作手段の操作部より遊技機後方に位置し、
　前記第１操作手段と前記第２操作手段とは、その操作部において指を引っ掛け可能な指掛け部を備えていることを特徴とする遊技機。
【請求項３】
　前記遊技機は、パチンコ機、スロットマシン、又は、パチンコ機とスロットマシンとを融合した形式の遊技機であることを特徴とする請求項１又は２に記載の遊技機。」
　から、
　補正後（本件補正：平成２８年５月９日付けの手続補正）の
「【請求項１】
Ａ　外部機器からの配線が差し込まれる差込み部を備えた本体部と、
Ｂ　前記差込み部に対応させて設けられ、所定の電気信号を前記外部機器からの配線に伝える端子部と、
Ｃ　前記本体部に対して変位可能であり、前記差込み部に差し込まれた配線を前記端子部に接触させた状態で保持可能な保持状態と、前記差込み部に対する配線の抜き差しを許容する非保持状態とに状態変化可能な保持手段と、
Ｄ　前記保持状態にある前記保持手段を前記非保持状態へと状態変化させることのできる操作手段とを具備し、
Ｅ　前記端子部、前記保持手段、及び前記操作手段が複数設けられた外部出力手段を備える
パチンコ機
Ｆ　前記外部出力手段は、複数の前記操作手段がパチンコ機の左右方向に並ぶようにして設けられ、
Ｇ　前記操作手段は、前記保持状態にある前記保持手段を前記非保持状態へと状態変化させる際に操作される操作部を備え、
Ｈ　
パチンコ機
パチンコ機
Ｉ　操作されていない場合の前記第２操作手段の操作部は、操作されていない場合の前記第１操作手段の操作部より
パチンコ機
Ｊ　前記第１操作手段と前記第２操作手段とは、その操作部において指を引っ掛け可能な指掛け部を備えていることを特徴とする
パチンコ機
【請求項２】
　外部機器からの配線が差し込まれる差込み部を備えた本体部と、
　前記差込み部に対応させて設けられ、所定の電気信号を前記外部機器からの配線に伝える端子部と、
　前記本体部に対して変位可能であり、前記差込み部に差し込まれた配線を前記端子部に接触させた状態で保持可能な保持状態と、前記差込み部に対する配線の抜き差しを許容する非保持状態とに状態変化可能な保持手段と、
　前記保持状態にある前記保持手段を前記非保持状態へと状態変化させることのできる操作手段とを具備し、
　前記端子部、前記保持手段、及び前記操作手段が複数設けられた外部出力手段を備える
パチンコ機
　前記外部出力手段は、複数の前記操作手段が
パチンコ機
　前記操作手段は、前記保持状態にある前記保持手段を前記非保持状態へと状態変化させる際に操作される操作部を備え、
　
パチンコ機
　操作されていない場合の前記第２操作手段の操作部は、操作されていない場合の前記第１操作手段の操作部より
パチンコ機
　前記第１操作手段と前記第２操作手段とは、その操作部において指を引っ掛け可能な指掛け部を備えていることを特徴とする
パチンコ機
　へ補正された（下線部は補正箇所を示す）。ただし、記号は分説するため当審にて付した。
２　補正の適否
　本件補正のうち、請求項１及び２における補正は、補正前の「遊技機」との記載を「パチンコ機」とするものであり、パチンコ機の他にスロットマシン等を含む「遊技機」を「パチンコ機」のみに限定するものである。
　そして、本件補正前の特許請求の範囲の請求項１及び２に記載された発明と本件補正後の特許請求の範囲の請求項１及び２に記載される発明の産業上の利用分野及び解決しようとする課題が同一であるので、上記補正は、特許法第１７条の２第５項第２号に掲げる特許請求の範囲の減縮を目的とするものである。
　また、本件補正のうち、請求項３を削除する補正は、特許法第１７条の２第５項第１号に掲げる請求項の削除を目的とするものである。
　したがって、本件補正は、第１７条の２第５項第１号又は第２号の規定に適合する。
　さらに、本件補正は、新規事項を追加するものではない。
３　独立特許要件
　補正後の請求項１に記載された発明（以下、「本件補正発明」という。）が特許出願の際に独立して特許を受けることができるものであるか否か（特許法第１７条の２第６項において準用する同法第１２６条第７項の規定に適合するか否か）を検討する。
（１）本件補正発明
　本件補正発明は、上記１に記載したとおりのものである。
（２）先願発明
　原査定の拒絶の理由において引用された、本願の出願遡及日前の他の特許出願であって、その遡及日後に出願公開がされた特願２００８−１３８９０８号（特開２００９−２８５００３号公報参照。以下、「先願」という。）の願書に最初に添付した明細書又は図面（以下、「先願明細書等」という。）には、図面とともに以下の事項が記載されている（下線は審決で付した。以下同じ。）。 
ア　「【０００１】
　本発明は、例えば、
パチンコ遊技機
イ　「【００１６】
　図４は本実施形態のパチンコ遊技機の外部端子板の概略図、図５はその外部端子板の配線図である。
外部端子板４０は、
６個の出力側のコネクタＣＮ2〜7
を備える。
パチンコ遊技機からホールコンピュータに信号を送出することができる。
【００１７】
　図６は本実施形態の
出力側のターミナルＣＮ2〜7に使用されるプッシュターミナル１００
【００１８】
　本実施形態の
プッシュターミナル１００は、
ケース本体部１０１内に、端子部とレバー部とを有する二組の接続端子セット１２０.１２０を隣り合うように配置したものである。
【００１９】
　
各接続端子セット１２０は、ケース本体部１０１の上部に形成されたリード線挿入穴１２１と、リード線挿入穴１２１に対応してケース本体部内に固定して設けられた導電性の端子部１２２と、レバー部１２３と、レバー部を附勢するスプリング部１２４と、を備える。
【００２０】
　
各端子部１２２は、基板４１に形成された接続穴に挿入される足部１２２１と、リード線挿入穴から挿入されたリード線と接触する接触部１２２２（図１０参照）とを備えている
レバー部１２３は端子部１２２に対応して設けられ、人が押圧する部分であるケース本体部の外部に露出している操作部１２３１と、リード線挿入穴１２１に挿入されたリード線を端子部１２２の接触部１２２２に押し付けるための押圧部１２３２
を備えている。
このレバー部１２３は、常時はスプリング部１２４により、その押圧部１２３２が端子部１２２の接触部１２２２に当接するように附勢された状態となっている。
【００２１】
　
本プッシュターミナル１００にリード線を接続するときには、レバー部１２３の操作部１２３１を下方に押圧し、押圧部１２３２と端子部１２２の接触部１２２２との隙間を広げて、リード線をリード線挿入穴１２１から挿入し、その後、操作部１２３１を元に戻す。
・・・
【００２３】
　
本実施形態の二つのレバー部１２３ａ，１２３ｂの操作部１２３１ａ，１２３１ｂは、図１０及び図１１等に示すように、ケース本体部の底面からの高さが異なるように、言い換えれば二つの操作部１２３１ａ，１２３１ｂに段差が生じるようにして形成されている。
【００２４】
　また、本実施形態の
プッシュターミナルは、
６個のプッシュターミナルを直列的に連結して使用する
隣り合うレバー部の操作部の高さが異なるので、各レバー部の操作部を押し下げるときに、隣り合う他のレバー部の操作部を同時に押し下げてしまうことはない。
ウ　上記イの【００１６】の「
外部端子板４０は、
６個の出力側のコネクタＣＮ2〜7
を備える。
パチンコ遊技機からホールコンピュータに信号を送出することができる。
外部端子板４０に備えられた６個の出力側コネクタＣＮ２〜７により、パチンコ遊技機からホールコンピュータに信号を送出することができる
エ　上記イの【００１７】の「
出力側のターミナルＣＮ2〜7に使用されるプッシュターミナル１００
プッシュターミナル１００は、
ケース本体部１０１内に、端子部とレバー部とを有する二組の接続端子セット１２０.１２０を隣り合うように配置したものである。
各接続端子セット１２０は、ケース本体部１０１の上部に形成されたリード線挿入穴１２１
を備える。
出力側のターミナルＣＮ２〜７に使用されるプッシュターミナル１００は、上部にリード線挿入穴１２１が形成されたケース本体部１０１を備えている
オ　上記ウの「６個の出力側コネクタＣＮ２〜７により、パチンコ遊技機からホールコンピュータに信号を送出する」との認定事項、及び、上記エの「出力側のターミナルＣＮ２〜７に使用されるプッシュターミナル１００は、上部にリード線挿入穴１２１が形成されたケース本体部１０１を備えている」との認定事項より、パチンコ遊技機からホールコンピュータに信号を送出するのに、ターミナルＣＮ２〜７に使用されるプッシュターミナル１００が備えたケース本体部１０１に形成されたリード線挿入穴１２１に挿入される「リード線」が用いられることは明らかである。
　そうすると、上記エの認定事項より、先願明細書等には、「
プッシュターミナル１００は、ホールコンピュータに信号を送出するリード線が挿入されるリード線挿入穴１２１が上部に形成されたケース本体部１０１を備えている
カ　上記イの【００１８】の「本実施形態の
プッシュターミナル１００は、
ケース本体部１０１内に、端子部とレバー部とを有する二組の接続端子セット１２０.１２０を隣り合うように配置したものである。
プッシュターミナル１００は、ケース本体部１０１内に、端子部とレバー部とを有する二組の接続端子セット１２０．１２０を隣り合うように配置したもの
キ　上記イの【００１９】の「
リード線挿入穴１２１に対応してケース本体部内に固定して設けられた導電性の端子部１２２
各端子部１２２は、基板４１に形成された接続穴に挿入される足部１２２１と、リード線挿入穴から挿入されたリード線と接触する接触部１２２２
とを備えている。
リード線挿入穴１２１に対応してケース本体部内に固定して設けられ、基板４１に形成された接続穴に挿入される足部１２２１と、リード線挿入穴から挿入されたリード線と接触する接触部１２２２を備えた導電性の端子部１２２
ク　上記イの【００２０】の「
レバー部１２３は
人が押圧する部分であるケース本体部の外部に露出している操作部１２３１と、リード線挿入穴１２１に挿入されたリード線を端子部１２２の接触部１２２２に押し付けるための押圧部１２３２と
を備えている。
常時はスプリング部１２４により、その押圧部１２３２が端子部１２２の接触部１２２２に当接するように附勢された状態となっている。
リード線を接続するときには、レバー部１２３の操作部１２３１を下方に押圧し、押圧部１２３２と端子部１２２の接触部１２２２との隙間を広げて、リード線をリード線挿入穴１２１から挿入し、
人が押圧する部分であるケース本体部の外部に露出している操作部１２３１と、リード線挿入穴１２１に挿入されたリード線を端子部１２２の接触部１２２２に押し付けるための押圧部１２３２とを備え、常時はスプリング部１２４により、その押圧部１２３２が端子部１２２の接触部１２２２に当接するように附勢された状態となっており、リード線を接続するときには、レバー部１２３の操作部１２３１を下方に押圧し、押圧部１２３２と端子部１２２の接触部１２２２との隙間を広げて、リード線をリード線挿入穴１２１から挿入する、レバー部１２３
ケ　上記イの【００１６】の「
外部端子板４０は、
６個の出力側のコネクタＣＮ2〜7
を備える。
出力側のターミナルＣＮ2〜7に使用されるプッシュターミナル１００
プッシュターミナルは、
６個のプッシュターミナルを
使用する
ケース本体部１０１内に、端子部とレバー部とを有する二組の接続端子セット１２０．１２０を隣り合うように配置した６個のプッシュターミナルを備えた外部端子板４０
コ　上記イの【００２３】には、「本実施形態の二つのレバー部１２３ａ，１２３ｂの操作部１２３１ａ，１２３１ｂは、図１０及び図１１等に示すように、ケース本体部の底面からの高さが異なるように、言い換えれば二つの操作部１２３１ａ，１２３１ｂに段差が生じるようにして形成されている。」と記載され、【００２４】には、「
隣り合うレバー部の操作部の高さが異なる
各レバー部の操作部を押し下げるときに、隣り合う他のレバー部の操作部を同時に押し下げてしまうことはない。
　また、【００２４】の「各レバー部の操作部を押し下げるときに、隣り合う他のレバー部の操作部を同時に押し下げてしまうことはない。」との効果や図４及び図６より、「高さが異なる」とは、少なくとも、操作部の操作がされていない状態において、高さが異なることを意味することは明らかである。
　したがって、先願明細書等には、「
隣り合うレバー部の操作部の遊技機後方への高さが、操作部の操作がされていない状態において異なる
サ　図６には、
「操作部１２３１ａ」及び「操作部１２３１ｂ」に凹凸が設けられた
　上記ア、イの記載事項、及び、上記ウ〜サの認定事項を総合すると、先願明細書等には、次の発明（以下、「先願発明」という。）が記載されていると認められる。ただし、記号ａ〜ｊは、本件補正発明の記号Ａ〜Ｊに対応させて当審にて付した。
「ａ　ホールコンピュータに信号を送出するリード線が挿入されるリード線挿入穴１２１が上部に形成されたケース本体部１０１と、（オ）
ｂ　リード線挿入穴１２１に対応してケース本体部内に固定して設けられ、基板４１に形成された接続穴に挿入される足部１２２１と、リード線挿入穴から挿入されたリード線と接触する接触部１２２２を備えた導電性の端子部１２２と、（キ）
ｃ−ｄ　人が押圧する部分であるケース本体部の外部に露出している操作部１２３１と、リード線挿入穴１２１に挿入されたリード線を端子部１２２の接触部１２２２に押し付けるための押圧部１２３２とを備え、常時はスプリング部１２４により、その押圧部１２３２が端子部１２２の接触部１２２２に当接するように附勢された状態となっており、リード線を接続するときには、レバー部１２３の操作部１２３１を下方に押圧し、押圧部１２３２と端子部１２２の接触部１２２２との隙間を広げて、リード線をリード線挿入穴１２１から挿入する、レバー部１２３と、（ク）
　を備えたプッシュターミナル１００を具備し、（オ、カ）
ｅ　ケース本体部１０１内に、端子部とレバー部とを有する二組の接続端子セット１２０．１２０を隣り合うように配置した６個のプッシュターミナルを備えた外部端子板４０を備えるパチンコ機において、（ケ）
ｆ　６個のプッシュターミナルを直列的に連結して使用し、（【００２４】）
ｇ　レバー部１２３は操作部１２３１を備え、（【００２１】）
ｈ−ｉ　隣り合うレバー部の操作部の遊技機後方への高さが、操作部の操作がされていない状態において異なり、（コ）
ｊ　操作部１２３１ａ及び操作部１２３１ｂに凹凸が設けられた（サ）
　パチンコ機。」
（３）対比
　本件補正発明と先願発明とを分説にしたがい対比する。
（ａ）先願発明の「リード線」は「ホールコンピュータに信号を送出する」ものであり、ホールコンピュータ、又は、ホールコンピュータに信号を送出する機器からの配線であることは明らかなので、本件補正発明の「外部機器からの配線」に相当する。
　そうすると、先願発明の「リード線挿入穴１２１」は、本件補正発明の配線が差し込まれる「差込み部」に相当する。
　したがって、先願発明の「ホールコンピュータに信号を送出するリード線が挿入されるリード線挿入穴１２１が上部に形成されたケース本体部１０１」は、本件補正発明の「外部機器からの配線が差し込まれる差込み部を備えた本体部」に相当する。
（ｂ）上記（ａ）より、先願発明の「リード線」は、「ホールコンピュータに信号を送出する」もので、本件補正発明の「外部機器からの配線」に相当するので、先願発明の「リード線と接触する接触部１２２２を備えた導電性の端子部１２２」は、その接触部１２２２からリード線にホールコンピュータへの信号を伝えることは明らかである。
　そして、当該「ホールコンピュータへの信号」は、本件補正発明の「所定の電気信号」に相当する。
　したがって、先願発明の「リード線挿入穴１２１に対応してケース本体部内に固定して設けられ、基板４１に形成された接続穴に挿入される足部１２２１と、リード線挿入穴から挿入されたリード線と接触する接触部１２２２を備えた導電性の端子部１２２」は、本件補正発明の「前記差込み部に対応させて設けられ、所定の電気信号を前記外部機器からの配線に伝える端子部」に相当する。
（ｃ−ｄ）先願発明のｃ−ｄと本件補正発明のＣ及びＤとを対比する。
　先願発明の「押圧部１２３２」は、「リード線挿入穴１２１に挿入されたリード線を端子部１２２の接触部１２２２に押し付けるため」のもので、「常時はスプリング部１２４により、その押圧部１２３２が端子部１２２の接触部１２２２に当接するように附勢された状態」となっており、当該「端子部１２２の接触部１２２２に当接するように附勢された状態」は、本件補正発明の「前記差込み部に差し込まれた配線を前記端子部に接触させた状態で保持可能な保持状態」に相当する。
　また、先願発明の「押圧部１２３２」は、「リード線を接続するときには、レバー部１２３の操作部１２３１を下方に押圧し、押圧部１２３２と端子部１２２の接触部１２２２との隙間を広げ」られるものであり、当該「端子部１２２の接触部１２２２との隙間を広げ」られた状態は、本件補正発明の「前記差込み部に対する配線の抜き差しを許容する非保持状態」に相当する。
　そして、上記より、「押圧部１２３２」が「ケース本体部１０１」に対して変位可能であることは明らかなので、先願発明の「押圧部１２３２」は、本件補正発明の「保持手段」に相当する。
　次に、先願発明は、「リード線を接続するときには、レバー部１２３の操作部１２３１を下方に押圧し、押圧部１２３２と端子部１２２の接触部１２２２との隙間を広げ」るものであり、当該「下方に押圧」される「操作部１２３１」は、本件補正発明の「前記保持状態にある前記保持手段を前記非保持状態へと状態変化させることのできる操作手段」に相当する。
　したがって、先願発明の「人が押圧する部分であるケース本体部の外部に露出している操作部１２３１と、リード線挿入穴１２１に挿入されたリード線を端子部１２２の接触部１２２２に押し付けるための押圧部１２３２とを備え、常時はスプリング部１２４により、その押圧部１２３２が端子部１２２の接触部１２２２に当接するように附勢された状態となっており、リード線を接続するときには、レバー部１２３の操作部１２３１を下方に押圧し、押圧部１２３２と端子部１２２の接触部１２２２との隙間を広げて、リード線をリード線挿入穴１２１から挿入する、レバー部１２３」は、当該「レバー部１２３」には「押圧部１２３２」（保持手段）と「操作部１２３１」（操作手段）が備えられているので、本件補正発明の「前記本体部に対して変位可能であり、前記差込み部に差し込まれた配線を前記端子部に接触させた状態で保持可能な保持状態と、前記差込み部に対する配線の抜き差しを許容する非保持状態とに状態変化可能な保持手段と、
　前記保持状態にある前記保持手段を前記非保持状態へと状態変化させることのできる操作手段」に相当する。
（ｅ）上記（ｃ−ｄ）より、先願発明の「レバー部１２３」の「押圧部１２３２」と「操作部１２３１」は、それぞれ、本件補正発明の「保持手段」と「操作手段」に相当するので、先願発明の「端子部とレバー部」は、本件補正発明の「前記端子部、前記保持手段、及び前記操作手段」に相当する。
　そうすると、先願発明の「ケース本体部１０１内に、端子部とレバー部とを有する二組の接続端子セット１２０．１２０を隣り合うように配置した６個のプッシュターミナルを備え」ていることは、本件補正発明の「前記端子部、前記保持手段、及び前記操作手段が複数設けられ」ていることに相当する。
　さらに、先願発明の「外部端子板４０」は、本件補正発明の「外部出力手段」に相当する。
　したがって、先願発明の「ケース本体部１０１内に、端子部とレバー部とを有する二組の接続端子セット１２０．１２０を隣り合うように配置した６個のプッシュターミナルを備えた外部端子板４０を備えるパチンコ機」は、本件補正発明の「前記端子部、前記保持手段、及び前記操作手段が複数設けられた外部出力手段を備えるパチンコ機」に相当する。
（ｆ）上記（ｅ）に示したとおり、先願発明の「プッシュターミナル」は、「端子部とレバー部とを有する二組の接続端子セット１２０．１２０を隣り合うように配置した」ものであり、かつ、「レバー部１２３」は「操作部１２３１」を備えるので、「６個のプッシュターミナルを直列的に連結」すれば、「操作部１２３１」が直列的に並ぶように設けられることは明らかである。
　そして、上記（ｅ）より、先願発明の「操作部１２３１」は、本件補正発明の「操作手段」に相当するので、先願発明には、「複数の「操作手段」が直列的に並ぶように設けられること」が記載されているといえる。
　さらに、上記（ｅ）に示したとおり、先願発明の「プッシュターミナル」は、「外部端子板４０」（本件補正発明の「外部出力手段」）に設けられている。
　したがって、先願発明の「６個のプッシュターミナルを直列的に連結して使用し」は、本件補正発明の「前記外部出力手段は、複数の前記操作手段がパチンコ機の左右方向に並ぶようにして設けられ」と、「前記外部出力手段は、複数の前記操作手段が並ぶようにして設けられ」ている点で共通している。
（ｇ）先願発明の「操作部１２３１」は、上記（ｃ−ｄ）より、「前記保持状態にある前記保持手段を前記非保持状態へと状態変化させることのできる操作手段」に相当し、かつ、「リード線を接続するときには、・・・下方に押圧」されるものでもあるので、本件補正発明の「操作手段」に相当するとともに、本件補正発明の「操作部」にも相当する。
　したがって、先願発明の「レバー部１２３は操作部１２３１を備え」は、本件補正発明の「前記操作手段は、前記保持状態にある前記保持手段を前記非保持状態へと状態変化させる際に操作される操作部を備え」に相当する。
（ｈ−ｉ）先願発明のｈ−ｉと本件補正発明のＨ及びＩとを対比する。
　先願発明の「隣り合うレバー部の操作部」は、本件補正発明の「並ぶようにして設けられた前記操作手段のうち第１操作手段の操作部と第２操作手段の操作部」に相当する。
　そして、先願発明において「隣り合うレバー部の操作部の遊技機後方への高さが、操作部の操作がされていない状態において異な」ることは、本件補正発明の「操作されていない場合の前記第２操作手段の操作部は、操作されていない場合の前記第１操作手段の操作部よりパチンコ機後方に位置」することに相当する。
　また、本件補正発明において、「左右方向」は、「操作部」が並ぶ方向でもあり、「左右方向に対して交差する方向」は、「操作部が並ぶ方向に対して交差する方向」でもあるので、「パチンコ機後方」は、「操作部が並ぶ方向に対して交差する方向」といえる。
　そうすると、先願発明は、「隣り合うレバー部の操作部の遊技機後方への高さが、操作部の操作がされていない状態において異な」るものであるので、「第１操作手段の操作部と第２操作手段の操作部とは、操作部が並ぶ方向に対して交差する方向において位置がずれる」点で、本件補正発明と共通しているといえる。
　したがって、先願発明の「隣り合うレバー部の操作部の遊技機後方への高さが、操作部の操作がされていない状態において異なり」は、
　本件補正発明の「パチンコ機の左右方向に並ぶようにして設けられた前記操作手段のうち第１操作手段の操作部と第２操作手段の操作部とは、パチンコ機の左右方向に対して交差する方向において位置がずれるように構成され、
　操作されていない場合の前記第２操作手段の操作部は、操作されていない場合の前記第１操作手段の操作部よりパチンコ機後方に位置し」と、
「パチンコ機に並ぶようにして設けられた前記操作手段のうち第１操作手段の操作部と第２操作手段の操作部とは、操作部が並ぶ方向に対して交差する方向において位置がずれるように構成され、
　操作されていない場合の前記第２操作手段の操作部は、操作されていない場合の前記第１操作手段の操作部よりパチンコ機後方に位置し」ている点で共通している。
（ｊ）先願発明の操作部に設けられた「凹凸」は、本件補正発明の「指掛け部」に相当する。
　したがって、先願発明の「操作部１２３１ａ及び操作部１２３１ｂに凹凸が設けられた」は、本件補正発明の「前記第１操作手段と前記第２操作手段とは、その操作部において指を引っ掛け可能な指掛け部を備えている」に相当する。
　上記（ａ）〜（ｊ）より、本件補正発明と先願発明とは、次の点で一致している。
「Ａ　外部機器からの配線が差し込まれる差込み部を備えた本体部と、
Ｂ　前記差込み部に対応させて設けられ、所定の電気信号を前記外部機器からの配線に伝える端子部と、
Ｃ　前記本体部に対して変位可能であり、前記差込み部に差し込まれた配線を前記端子部に接触させた状態で保持可能な保持状態と、前記差込み部に対する配線の抜き差しを許容する非保持状態とに状態変化可能な保持手段と、
Ｄ　前記保持状態にある前記保持手段を前記非保持状態へと状態変化させることのできる操作手段とを具備し、
Ｅ　前記端子部、前記保持手段、及び前記操作手段が複数設けられた外部出力手段を備えるパチンコ機において、
Ｆ’前記外部出力手段は、複数の前記操作手段が並ぶようにして設けられ、
Ｇ　前記操作手段は、前記保持状態にある前記保持手段を前記非保持状態へと状態変化させる際に操作される操作部を備え、
Ｈ’パチンコ機に並ぶようにして設けられた前記操作手段のうち第１操作手段の操作部と第２操作手段の操作部とは、操作部が並ぶ方向に対して交差する方向において位置がずれるように構成され、
Ｉ　操作されていない場合の前記第２操作手段の操作部は、操作されていない場合の前記第１操作手段の操作部よりパチンコ機後方に位置し、
Ｊ　前記第１操作手段と前記第２操作手段とは、その操作部において指を引っ掛け可能な指掛け部を備えていることを特徴とするパチンコ機。」
　そして、本件補正発明と先願発明とは、構成Ｆ及びＨに関する次の点で、一応相違している。
（相違点）
　複数の操作手段が並ぶようにして設けられていること、及び、第１操作手段の操作部と第２操作手段の操作部とは、操作部が並ぶ方向に対して交差する方向において位置がずれることに関して、本件補正発明は、複数の操作手段（操作部）が、パチンコ機の左右方向に並ぶのに対し、先願発明は、複数の操作手段（操作部）が並ぶ方向が特定されていない点。
（４）判断
　先願明細書等の特許請求の範囲及び明細書には、操作部の並ぶ方向について記載されていないので、図面を参照して検討する。まず、図２では、外部端子板４０の配置位置について図示されているが、操作部は図示されていない。また、図４では、コネクタＣＮ２〜７が上下方向に並んでいることが図示されているが、これは配線図である図５にＣＮ１〜７の場所を対応させて描かれた概要図と考えられ、パチンコ機に取り付けられる際に操作部の並ぶ方向を図示したものとは認められない。
  したがって、先願明細書等の明細書のみならず図面からみても、操作部の並ぶ方向は定かではないといえる。
  そこで、パチンコ機の外部出力手段に関する技術水準を確認するために、当該技術分野における公開特許公報を参酌することにすると、外部出力手段における配線のための操作部をパチンコ機の左右方向に並べることは、本願の出願遡及日前における周知技術であり（特開２００９−８９７８１号公報（【００４２】、【００４３】、図１、図３）、特開２０００−９３５８１号公報（【０００７】、【００２１】、【００２２】、図１）、特開平８−５２２６４号公報（【００３０】、図４、図９）参照）、また、当該技術分野における技術常識であるといえる。
　そうすると、先願明細書等には、明示されてはいないが、外部出力手段における配線のための操作部をパチンコ機の左右方向に並べることが実質的に含まれているとするのが自然であり、むしろ、当業者からすれば、先願発明は、周知技術であり、技術常識である当該事項を備えているとするのが合理的というべきである。
　したがって、先願発明は、複数の操作手段（操作部）がパチンコ機の左右方向に並ぶようにして設けられているという上記相違点に係る本件補正発明の構成を実質的に備えている。
　よって、本件補正発明と先願発明とは、実質的に同一である。
（５）請求人の主張
（ア）請求人は、審判請求書の「４．本願発明と引用文献に記載の発明との対比」において、「ここで、周知技術を示す文献として挙げられた引用文献２〜４は、外部出力手段における複数の操作手段の操作部の前後位置が揃っているものである。つまり、「配線が、第２操作手段の操作部の前面側と、第１操作手段の操作部の後面側との間に潜り込んでしまう」といった問題がそもそも発生し得ない。・・・このため、引用文献２〜４に記載された事項を加味して引用文献１を参照してみても、・・・本願発明１には想到し得ない筈である。」と主張している。
（イ）また、請求人は、審判請求書の【本願発明が特許されるべき理由】「１．本願発明の説明」（３）において、「「外部出力手段の複数の操作手段がパチンコ機の左右方向に並ぶようにして設けられる」ことによって、・・・上下方向に延在する外部機器からの配線と、第２操作手段とが交差するといった事態を抑制することができる。」及び「さらに、・・・外部出力手段の端子部に接続された外部機器からの配線が前後に重なり合ったとしても、その本数（密集して束のようになる配線の一束の配線数）を低減させることができる。」 との効果を挙げている。
　そして、審判請求書の「４．本願発明と引用文献に記載の発明との対比」において、拒絶査定の上記作用効果に関する「仮に・・・効果が格別なものであるとしても、特許請求の範囲には「下方向に延在する外部機器からの配線」を有する点については記載も示唆もされていないから、この主張は特許請求の範囲の記載に基づいたものではない。」との認定に対して、「この点、本書と同日付けで提出した手続補正書において、本願発明は、「遊技機」ではなく、「パチンコ機」であることと限定している。そして、パチンコ機が設置される遊技ホールにおいては、一般的に、外部出力手段の端子部に接続される外部機器からの配線が、パチンコ機の上方から延びてきて、外部出力手段に接続されているものであり、当業者であれば周知の事項である。」と主張している。
（ウ）加えて、請求人は、平成２８年６月２０日付け上申書において、「前置報告書においても、・・・なぜ『上記の作用効果を奏することは自明であるとは認められない。』というご認定に至ったのかを認容することができません。・・・一般的に遊技ホールに設置されることとなるパチンコ機の使用されている状況を鑑みれば、・・・「上下方向に延在する外部機器からの配線が、第１操作手段の操作部の押圧操作する面と、第２操作手段の操作部の裏側の面との間に形成される隙間に潜り込むといった事態を抑制し、これによって、第２操作手段等の操作性の低下や、端子部に接続された配線の不用意な抜けや損傷等を抑制することができる」等という格別な作用効果が奏されることは、やはり自明な事項であると確信いたします。」と主張している。
（６）上記主張について検討する。
（エ）上記（ア）について
　上記「（４）判断」に記載したとおり、先願発明は「操作部を左右方向に並べる」との事項を実質的に備えるものである。したがって、先願発明は、本件補正発明と実質的に同一であるから、請求人の「引用文献２〜４に記載された事項を加味して引用文献１を参照してみても、・・・本願発明１には想到し得ない筈である。」との主張を採用することはできない。
（オ）上記（イ）について
　請求人が挙げた「外部出力手段の複数の操作手段がパチンコ機の左右方向に並ぶようにして設けられる」ことで、「上下方向に延在する外部機器からの配線と、第２操作手段とが交差するといった事態を抑制することができ」、また、「外部出力手段の端子部に接続された外部機器からの配線が前後に重なり合ったとしても、その本数（密集して束のようになる配線の一束の配線数）を低減させることができる」との効果は、上記（４）に示した「外部出力手段における配線のための操作部をパチンコ機の左右方向に並べる」との周知技術にしたがい配線をすれば当然に生じるものであるといえるので、請求人の主張するとおり、「パチンコ機が設置される遊技ホールにおいては、一般的に、外部出力手段の端子部に接続される外部機器からの配線が、パチンコ機の上方から延びてきて、外部出力手段に接続されている」ことが周知であったとしても、これにより新たな効果が奏せられるとは認められない。
　また、上記（エ）のとおり、先願発明は「操作部を左右方向に並べる」との事項を実質的に備えるものであるから、上記（イ）で挙げられた作用効果を内在的に有するものといえる。
　したがって、上記（イ）の主張を採用することはできない。
（カ）上記（ウ）について
　上申書における上記（ウ）の主張は、審判請求書における上記（イ）の主張と同様のものであるから、上記（オ）に記載したとおりである。
　したがって、上記（ウ）の主張を採用することはできない。
（７）小括
　したがって、本件補正発明の効果は、先願発明から予測される範囲内のものにすぎず、格別なものではない。 
　よって、上記（４）において検討したように、本件補正発明は、先願発明と実質的に同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができない。
４．むすび
　以上のとおり、本件補正は、特許法第１７条の２第６項で準用する同法第１２６条第７項の規定に違反するものであり、同法第１５９条第１項で読み替えて準用する同法第５３条第１項の規定により却下されるべきものである。よって、上記補正の却下の決定の結論のとおり決定する。
第３　本願発明
　本件補正（平成２８年５月９日付け手続補正）は、上記第２のとおり却下されたので、本願の請求項１〜３に係る発明は、願書に最初に添付した特許請求の範囲の請求項１〜３に記載された事項により特定されるとおりのものであり、その請求項１に係る発明（以下、「本願発明」という。）は、次のとおりのものである。
「【請求項１】
　外部機器からの配線が差し込まれる差込み部を備えた本体部と、
　前記差込み部に対応させて設けられ、所定の電気信号を前記外部機器からの配線に伝える端子部と、
　前記本体部に対して変位可能であり、前記差込み部に差し込まれた配線を前記端子部に接触させた状態で保持可能な保持状態と、前記差込み部に対する配線の抜き差しを許容する非保持状態とに状態変化可能な保持手段と、
　前記保持状態にある前記保持手段を前記非保持状態へと状態変化させることのできる操作手段とを具備し、
　前記端子部、前記保持手段、及び前記操作手段が複数設けられた外部出力手段を備える遊技機において、
　前記外部出力手段は、複数の前記操作手段が遊技機の左右方向に並ぶようにして設けられ、
　前記操作手段は、前記保持状態にある前記保持手段を前記非保持状態へと状態変化させる際に操作される操作部を備え、
　遊技機の左右方向に並ぶようにして設けられた前記操作手段のうち第１操作手段の操作部と第２操作手段の操作部とは、遊技機の左右方向に対して交差する方向において位置がずれるように構成され、
　操作されていない場合の前記第２操作手段の操作部は、操作されていない場合の前記第１操作手段の操作部より遊技機後方に位置し、
　前記第１操作手段と前記第２操作手段とは、その操作部において指を引っ掛け可能な指掛け部を備えていることを特徴とする遊技機。」
１．刊行物
　原査定の拒絶の理由で引用された先願明細書等の記載事項は、前記第２の３（２）に記載したとおりであり、先願明細書等には、前記第２の３（２）で認定した「先願発明」が記載されている。
２．対比・判断
　本願発明は、本件補正発明の「パチンコ機」に対して「遊技機」としたものである。
　そして、先願発明は、「パチンコ機」との構成を備えるため、その上位概念である「遊技機」との構成も当然に備えている。
　したがって、本願発明と先願発明とは、上記第２の３（３）に記載した相違点において一応相違しているが、実質的な相違点とはいえず、上記第２の３（４）に記載したとおり、本願発明と先願発明とは実質的に同一である。
３．むすび
　以上のとおりであるから、本願発明は、特許法第２９条の２の規定により特許を受けることができない。したがって、その余の請求項については検討するまでもなく、本願は拒絶されるべきものである。
　よって、結論のとおり審決する。